(57)【要約】【課題】制御内容を動的に変化させることにより、利便性の向上を図ることができる機器制御システムを提供する。【解決手段】機器制御システムは、現在時刻を計時する時計部をコントロール装置１に有し、一括スイッチ２０が操作されたときの現在時刻に従って被制御機器Ｌ１〜Ｌ４の制御内容が異なるように構成されている。コントロール装置１の記憶部に格納された制御テーブルにおいては、一括スイッチ２０と被制御機器Ｌ１〜Ｌ４の制御内容との対応関係が時間帯ごとに区別されて記憶されている。コントロール装置１の制御部は、一括スイッチ２０が操作されると、時計部から現在時刻を取得するとともに記憶部の制御テーブルを参照し、操作された一括スイッチ２０および現在時刻に対応した制御内容に従って被制御機器Ｌ１〜Ｌ４を制御する。【選択図】図１
2011205413.tif 000002
【特許請求の範囲】
【請求項１】
複数の被制御機器を一括して操作するための一括スイッチと、現在時刻を計時する時計部と、前記一括スイッチと前記複数の前記被制御機器の各々の制御内容との対応関係が時間帯別に記憶された記憶部と、前記一括スイッチおよび前記被制御機器に接続されており、前記一括スイッチが操作されると、前記時計部から現在時刻の情報を取得するとともに前記記憶部を参照し、操作された前記一括スイッチおよび現在時刻に対応した前記制御内容に従って前記被制御機器を制御する制御部とを備えることを特徴とする機器制御システム。
【請求項２】
時間帯以外の情報からなる補助条件を取得する条件取得部を備え、前記制御部は、前記一括スイッチが操作されると、前記条件取得部から前記補助条件を取得し、操作された前記一括スイッチおよび現在時刻に前記補助条件を加味して特定される前記制御内容に従って前記被制御機器を制御することを特徴とする請求項１記載の機器制御システム。
【請求項３】
前記条件取得部は、前記被制御機器の周辺の気温を取得する気温取得部を有し、前記補助条件は、前記気温取得部により取得される前記気温を含み、前記制御部は、前記気温取得部により取得される前記気温が高くなるほど、前記被制御機器として用いられる暖房機器については暖房能力を下げ、前記被制御機器として用いられる冷房機器については冷房能力を上げるように前記被制御機器を制御することを特徴とする請求項２記載の機器制御システム。
【請求項４】
前記条件取得部は、前記被制御機器の周辺の照度を検知するセンサを有し、前記補助条件は、前記センサにより取得される前記照度を含み、前記制御部は、前記センサにより取得される前記照度が低くなるほど前記被制御機器として用いられる照明機器を明るく点灯させるように前記被制御機器を制御することを特徴とする請求項２または請求項３に記載の機器制御システム。
【請求項５】
前記条件取得部は、インタネット上のサーバから、前記被制御機器が設置されている地域の花粉飛散情報を通信によって取得する通信取得部を有し、前記補助条件は、前記通信取得部により取得される前記花粉飛散情報を含み、前記制御部は、前記花粉飛散情報で表される花粉飛散量が所定の閾値以上になると、前記被制御機器として用いられる空調機器と換気機器との少なくとも一方の出力を抑制して室外の空気が室内に入りにくくするように前記被制御機器を制御することを特徴とする請求項２ないし請求項４のいずれか１項に記載の機器制御システム。
【請求項６】
前記条件取得部は、前記被制御機器のユーザが省エネルギ化と快適性とのいずれを優先するかという方針を表す制御ポリシが設定されるポリシ設定部を有し、前記補助条件は、前記ポリシ設定部にて予め設定された前記制御ポリシを含み、前記制御部は、前記制御ポリシにて省エネルギ化が優先されていると、前記被制御機器として用いられ人間の五感に影響を与える環境機器の消費電力を抑えて当該環境機器の能力を下げ、前記制御ポリシにて快適性が優先されていると、前記環境機器の能力を上げるように前記被制御機器を制御することを特徴とする請求項２ないし請求項５のいずれか１項に記載の機器制御システム。
【請求項７】
前記一括スイッチは複数のユーザによって操作され、前記条件取得部は、前記一括スイッチを操作したユーザを識別するユーザ識別部を有し、前記補助条件は、前記ユーザ識別部の識別結果を含むことを特徴とする請求項２ないし請求項６のいずれか１項に記載の機器制御システム。
【請求項８】
前記時計部は、月日を含む現在時刻を計時しており、前記条件取得部は、前記時計部によって計時される現在の月日に基づく季節を前記補助条件として用いることを特徴とする請求項２ないし請求項７のいずれか１項に記載の機器制御システム。
【請求項９】
前記一括スイッチが操作された後の一定期間に前記被制御機器の各々について個別に為された操作履歴をとり、当該操作履歴に基づいて前記記憶部に記憶されている前記制御内容を動的に更新する更新部を有し、前記更新部は、前記被制御機器の各々について所定値以上の頻度で繰り返し為された操作が前記制御内容に反映されるように前記制御内容を更新することを特徴とする請求項１ないし請求項８のいずれか１項に記載の機器制御システム。
【発明の詳細な説明】
【技術分野】
【０００１】
本発明は、一括制御スイッチの操作に応じて複数の被制御機器を一括して制御することができる機器制御システムに関するものである。
【背景技術】
【０００２】
従来から、被制御機器の遠隔制御を行うために信号線を通してスイッチのオンオフ情報を含む伝送信号を伝送し、被制御機器の電源を入切するリレーを伝送信号によって開閉させる機器制御システム（遠隔監視制御システム）が知られている（たとえば特許文献１参照）。
【０００３】
この種の機器制御システムとしては、スイッチを有する操作用端末器と、被制御機器への電源を入切するリレーを有する制御用端末器と、伝送信号を送出する伝送処理装置とを備えた集中制御型のものがある。伝送処理装置と操作用端末器と制御用端末器とは、２線式の信号線に接続されており、操作用端末器および制御用端末器に個別に設定されているアドレスを用いて伝送処理装置が操作用端末器および制御用端末器を各別に認識する。
【０００４】
伝送処理装置は、アドレスによって対応付けられる操作用端末器と制御用端末器との対応関係を記憶した記憶部を有している。特許文献１に記載の機器制御システムでは、被制御機器をスイッチに対して一対一に対応させる個別制御と、複数の被制御機器を１つの一括スイッチに対応付けて一括して制御する一括制御とが可能である。
【０００５】
伝送処理装置は、一括スイッチの操作情報が伝送信号を用いて通知されると、この一括スイッチに対応付けられている複数の制御用端末器に対して伝送信号を用いてリレーを開閉する指示を送り、複数の被制御機器を一括して制御する。これにより、１つの一括スイッチを操作するだけで、たとえば照明機器とエアコン（空調機器）と床暖房とを一斉に制御し、所望の環境を作り出すことが可能となる。
【先行技術文献】
【特許文献】
【０００６】
【特許文献１】特開平６−３０３６８１号公報
【発明の概要】
【発明が解決しようとする課題】
【０００７】
ところで、上述したような機器制御システムにおいては、１つの一括スイッチに対して割り当てられる被制御機器の制御内容は固定的に決められており、いつ一括スイッチが操作されても各被制御機器は同じように制御される。そのため、時間帯によって照明機器を点灯させる必要がなかったり、エアコンを動作させる必要がなかったりすると、ユーザは、一括スイッチを操作した後でこれらの被制御機器を個別に操作して停止させる必要があり、利便性に欠けるという問題がある。
【０００８】
本発明は上記事由に鑑みて為されたものであって、制御内容を動的に変化させることにより、利便性の向上を図ることができる機器制御システムを提供することを目的とする。
【課題を解決するための手段】
【０００９】
本発明の機器制御システムは、複数の被制御機器を一括して操作するための一括スイッチと、現在時刻を計時する時計部と、前記一括スイッチと前記複数の前記被制御機器の各々の制御内容との対応関係が時間帯別に記憶された記憶部と、前記一括スイッチおよび前記被制御機器に接続されており、前記一括スイッチが操作されると、前記時計部から現在時刻の情報を取得するとともに前記記憶部を参照し、操作された前記一括スイッチおよび現在時刻に対応した前記制御内容に従って前記被制御機器を制御する制御部とを備えることを特徴とする。
【００１０】
この機器制御システムにおいて、時間帯以外の情報からなる補助条件を取得する条件取得部を備え、前記制御部は、前記一括スイッチが操作されると、前記条件取得部から前記補助条件を取得し、操作された前記一括スイッチおよび現在時刻に前記補助条件を加味して特定される前記制御内容に従って前記被制御機器を制御することが好ましい。
【００１１】
さらに、この機器制御システムにおいて、前記条件取得部は、前記被制御機器の周辺の気温を取得する気温取得部を有し、前記補助条件は、前記気温取得部により取得される前記気温を含み、前記制御部は、前記気温取得部により取得される前記気温が高くなるほど、前記被制御機器として用いられる暖房機器については暖房能力を下げ、前記被制御機器として用いられる冷房機器については冷房能力を上げるように前記被制御機器を制御することが好ましい。
【００１２】
さらに、この機器制御システムにおいて、前記条件取得部は、前記被制御機器の周辺の照度を検知するセンサを有し、前記補助条件は、前記センサにより取得される前記照度を含み、前記制御部は、前記センサにより取得される前記照度が低くなるほど前記被制御機器として用いられる照明機器を明るく点灯させるように前記被制御機器を制御することが好ましい。
【００１３】
さらに、この機器制御システムにおいて、前記条件取得部は、インタネット上のサーバから、前記被制御機器が設置されている地域の花粉飛散情報を通信によって取得する通信取得部を有し、前記補助条件は、前記通信取得部により取得される前記花粉飛散情報を含み、前記制御部は、前記花粉飛散情報で表される花粉飛散量が所定の閾値以上になると、前記被制御機器として用いられる空調機器と換気機器との少なくとも一方の出力を抑制して室外の空気が室内に入りにくくするように前記被制御機器を制御することが好ましい。
【００１４】
さらに、この機器制御システムにおいて、前記条件取得部は、前記被制御機器のユーザが省エネルギ化と快適性とのいずれを優先するかという方針を表す制御ポリシが設定されるポリシ設定部を有し、前記補助条件は、前記ポリシ設定部にて予め設定された前記制御ポリシを含み、前記制御部は、前記制御ポリシにて省エネルギ化が優先されていると、前記被制御機器として用いられ人間の五感に影響を与える環境機器の消費電力を抑えて当該環境機器の能力を下げ、前記制御ポリシにて快適性が優先されていると、前記環境機器の能力を上げるように前記被制御機器を制御することが好ましい。
【００１５】
さらに、この機器制御システムにおいて、前記一括スイッチは複数のユーザによって操作され、前記条件取得部は、前記一括スイッチを操作したユーザを識別するユーザ識別部を有し、前記補助条件は、前記ユーザ識別部の識別結果を含むことが好ましい。
【００１６】
さらに、この機器制御システムにおいて、前記時計部は、月日を含む現在時刻を計時しており、前記条件取得部は、前記時計部によって計時される現在の月日に基づく季節を前記補助条件として用いることが好ましい。
【００１７】
さらに、この機器制御システムにおいて、前記一括スイッチが操作された後の一定期間に前記被制御機器の各々について個別に為された操作履歴をとり、当該操作履歴に基づいて前記記憶部に記憶されている前記制御内容を動的に更新する更新部を有し、前記更新部は、前記被制御機器の各々について所定値以上の頻度で繰り返し為された操作が前記制御内容に反映されるように前記制御内容を更新することが好ましい。
【発明の効果】
【００１８】
本発明は、制御内容を動的に変化させることにより、利便性の向上を図ることができるという利点がある。
【図面の簡単な説明】
【００１９】
【図１】実施形態１の機器制御システムを示す概略システム構成図である。
【図２】同上のコントロール装置の構成を示す概略ブロック図である。
【発明を実施するための形態】
【００２０】
（実施形態１）
本実施形態の機器制御システムの基本構成は背景技術の欄で説明した機器制御システムと同様、コントロール装置をセンタ装置とした集中制御型システムを構築するものである。すなわち、機器制御システムは、図１に示すように２線式の信号線Ｗ１が接続されるコントロール装置１と、信号線Ｗ１に接続されコントロール装置１と通信する操作端末器２および制御端末器３とを備えている。
【００２１】
この機器制御システムは、被制御機器として照明機器Ｌ１、床暖房Ｌ２、エアコン（空調機器）Ｌ３、テレビＬ４を備えている。これらの被制御機器Ｌ１〜Ｌ４（以下、各々を特に区別しない場合には単に「被制御機器Ｌ」という）は、いずれも制御端末器３により制御される。これらの被制御機器Ｌは一例に過ぎず、たとえば電動カーテン、換気扇などの機器を被制御機器とすることも可能である。ただし、本実施形態では、設置されている空間（ここでは住宅の一室とする）の環境に影響を与える機器であって、主に人間の五感に影響を与える機器（以下、「環境機器」という）が被制御機器Ｌとして用いられるものとする。
【００２２】
ここに、操作端末器２は一括スイッチ２０を有しており、また制御端末器３は各被制御機器Ｌを制御するためのインタフェース３０を有している。本実施形態では、一括スイッチ２０は、住宅内の壁に取り付けられた壁スイッチとするが、これに限らず、人感センサなどの検知結果により出力が変化するセンサスイッチであってもよい。さらに、一括スイッチ２０は、タッチパネルディスプレイを具備する操作盤、パーソナルコンピュータ、デジタルテレビなど、表示機能と入力機能との両方を持つものであってもよい。
【００２３】
制御端末器３のインタフェース２０は、ＨＡ端子、赤外線リモコン、接点出力、リレー出力、シリアル通信など、様々な形態を採用できる。なお、被制御機器Ｌそのものにコントロール装置１との通信を行う制御端末器の機能を内蔵し、独立した制御端末器３を省略できるようにしてもよい。操作端末器２と制御端末器３とは一体化されていてもよい。
【００２４】
コントロール装置１は、後述する記憶部１０および制御部１１と、操作端末器２や制御端末器３との通信を行う端末通信部１２と、インタネット４に接続された上位通信部１３とを備えている。本実施形態ではコントロール装置１は独立した装置を構成しているが、これに限らず、操作端末器２あるいは制御端末器３のいずれかと一体化されていてもよいし、操作端末器２および制御端末器３を一体としたものと一体化されていてもよい。
【００２５】
記憶部１０は、一括スイッチ２０に対して制御対象となる被制御機器Ｌがアドレスによって対応付けられた制御テーブルを記憶している。つまり、制御端末器３においては、被制御機器Ｌごとに負荷番号が割り振られ、制御端末器３の端末アドレスの後に負荷番号を付加したものが被制御機器Ｌのアドレスとされている。なお、１台の制御端末器３に接続される複数の被制御機器Ｌで１つの負荷回路を構成してもよく、この場合には制御端末器３の端末アドレスが被制御機器Ｌのアドレスとして用いられる。
【００２６】
ところで、記憶部１０に格納された制御テーブルでは、一括スイッチ２０と被制御機器Ｌとは一対多に結びつけられている。そのため、この機器制御システムでは、１個の一括スイッチ２０で複数回路の被制御機器Ｌが一括して制御される。本実施形態では、制御対象となる被制御機器Ｌの範囲と各被制御機器Ｌの制御内容とが、一括スイッチ２０に予め対応付けられている。ここでいう制御内容は、オンオフの別だけでなく、たとえば照明機器Ｌ１については全点灯状態を「１００％」としたときに何％の調光レベルで点灯させるのかという情報、床暖房Ｌ２や空調機器Ｌ３については設定温度を何℃にするかという情報を含む。
【００２７】
コントロール装置１の制御部１１は、一括スイッチ２０の操作時に、制御テーブルにおいて操作された一括スイッチ２０に対応した制御内容に従って被制御機器Ｌを制御する。具体的には、制御部１１は、制御テーブルを参照し、操作端末器２から返信された操作データに基づいて、操作された一括スイッチ２０と対応する制御端末器３に伝送する制御データを生成し、その制御データを含む伝送信号を端末通信部１２から送出する。このとき伝送される伝送信号には、制御テーブル上で一括スイッチ２０と対応付けられている制御内容が含まれ、伝送信号を受けた制御端末器３は、伝送信号に含まれる制御内容に従って被制御機器Ｌを制御する。したがって、１個の一括スイッチ２０が操作されると、この一括スイッチ２０に対応する複数の被制御機器Ｌがそれぞれの制御内容に従って制御される。
【００２８】
なお、上述したような一括制御を行うには、制御対象となる被制御機器Ｌの範囲と各被制御機器Ｌの制御内容とが一括スイッチ２０と対応付けて制御テーブルに予め登録されている必要がある。そこで、本実施形態の機器制御システムでは、図示しない設定端末器を用いて制御内容等の設定登録が行われるものとする。
【００２９】
また、一括スイッチ２０は複数設けられていてもよいが、本実施形態では説明を簡単にするため一括スイッチ２０は機器制御システム内に１つのみ設けられているものとして説明する。一括スイッチ２０が複数ある場合、被制御機器Ｌの制御内容との対応関係を示す制御テーブルについては一括スイッチ２０ごとに設定されることになる。
【００３０】
ところで、本実施形態の機器制御システムは、図２に示すように、現在時刻を計時する時計部１４をコントロール装置１に有し、一括スイッチ２０が操作されたときの現在時刻に従って被制御機器Ｌの制御内容が異なるように構成されている。
【００３１】
すなわち、コントロール装置１の記憶部１０に格納された制御テーブルにおいては、一括スイッチ２０と被制御機器Ｌの制御内容との対応関係が時間帯ごとに区別されて記憶されている。表１に示す例では、１つの一括スイッチ２０に対して、複数の被制御機器Ｌに係る制御内容が、「０時〜６時」、「６時〜１２時」、「１２時〜１８時」、「１８時〜２４時」の時間帯ごとにそれぞれ対応付けて記憶される。なお、表１中「−」は一括スイッチ２０が操作されても何ら制御しない（つまり制御対象外とする）ことを意味し、制御対象外の被制御機器Ｌは、一括スイッチ２０が操作されても一括スイッチ２０の操作前と同じ状態を維持することになる。
【００３２】
【表１】
2011205413.tif 000003
【００３３】
制御部１１は、一括スイッチ２０が操作されると、上記表１のような制御テーブルを参照し、時計部１４が計時する現在時刻に基づいて制御内容を決定する。すなわち、制御部１１は、一括スイッチ２０が操作されると、まず時計部１４から現在時刻の情報を取得し、現在時刻が「０時〜６時」、「６時〜１２時」、「１２時〜１８時」、「１８時〜２４時」のいずれの時間帯に属するかを判断する。現在時刻の属する時間帯が判明すると、制御部１１は、制御テーブル上でその時間帯に対応する制御内容を選択し、選択された制御内容を含む制御データを伝送信号として信号線Ｗ１に送出する。
【００３４】
一例として、上記表１で示した制御内容に対応付けられた一括スイッチ２０が「０時〜６時」の間に操作されたとすれば、制御部１１は、照明機器Ｌ１を４０％の調光レベルで点灯させ、床暖房Ｌ２とエアコンＬ３とテレビＬ４とをオフにするように制御する。一方、一括スイッチ２０が「６時〜１２時」の間に操作されたとすれば、制御部１１は、照明機器Ｌ１を８０％の調光レベルで点灯させ、エアコンＬ３を設定温度２０℃で運転させ、床暖房Ｌ２とテレビＬ４とをオフにするように制御する。一括スイッチ２が「１２時〜１８時」の間に操作されたとすれば、制御部１１は、照明機器Ｌ１を５０％の調光レベルで点灯させ、床暖房Ｌ２を設定温度１８℃で運転させ、エアコンＬ３をオフにするように制御し、テレビＬ３については制御しない。一括スイッチ２０が「１８時〜２４時」の間に操作されたとすれば、制御部１１は、照明機器Ｌ１を１００％点灯させ、床暖房Ｌ２を設定温度２０℃で運転させ、エアコンＬ３をオフにするように制御し、テレビＬ４については制御しない。
【００３５】
以上説明したように、制御部１１は、操作された一括スイッチ２０と現在時刻との両方荷対応付けられた制御内容に従って被制御機器Ｌを制御するので、同一の一括スイッチ２０が操作された場合でも、操作された時刻によって制御内容が動的に変化する。すなわち、ユーザは、１つの一括スイッチ２０を操作するだけで、複数の被制御機器Ｌの各々を時間帯ごとに決められた制御内容に従って動的に制御することが可能となる。そのため、時間帯によって照明機器Ｌ１を点灯させる必要がなかったり、エアコンＬ３を動作させる必要がなかったりする場合でも、ユーザは、１つの一括スイッチ２０を操作した後でこれらの被制御機器Ｌを個別に操作する必要がない。結果的に、利便性の向上を図ることができる。
【００３６】
さらに、本実施形態のように照明機器Ｌ１やエアコンＬ３などの空間の環境に影響を与える機器を被制御機器Ｌとする場合には、空間の環境を１つの一括スイッチ２０の操作により時間帯に応じて快適な状態に変化させることが可能である。たとえば、冷え込む朝の時間帯にはエアコンＬ３の設定温度を高めに設定し、昼の時間帯にはエアコンＬ３の設定温度を低めに設定した制御テーブルが採用されていれば、ユーザが一括スイッチ２０を操作するだけで快適な空間を演出することできる。また、たとえば昼の時間帯に照明機器Ｌ１の調光レベルが低めに設定され、夜の時間帯に照明機器Ｌ１の調光レベルが高めに設定されていれば、昼の時間帯に照明機器Ｌ１が無駄に明るく点灯することを回避でき省エネルギ化を図ることができる。
【００３７】
ところで、本実施形態の機器制御システムは、一括スイッチ２０が操作された後の一定期間に各被制御機器Ｌについて個別に為された操作の履歴をとる更新部１５をコントロール装置１に備えている。更新部１５は、各被制御機器Ｌについて所定値以上の頻度で繰り返し為された操作が制御内容に反映されるように、蓄積した操作履歴に基づいて記憶部１０に記憶されている制御内容を動的に更新する。
【００３８】
ここでは一例として、午前７時に一括スイッチ２０が操作されたために、上記表１に示したデフォルトの制御テーブルに従って照明機器Ｌ１が８０％調光で点灯し、エアコンＬ３が設定温度２０℃で運転を開始した場合を想定する。その直後、ユーザが照明機器Ｌ１を個別に操作することにより、照明機器Ｌ１の調光レベルが６０％に引き下げられた場合、更新部１５は、「６時〜１２時」の時間帯に対応付けて照明機器Ｌ１の調光レベルを６０％に引き下げる操作を操作履歴として記憶する。同様の操作が、「６時〜１２時」の時間帯において１０回中５回以上の頻度（確率）で為された場合、更新部１５は、制御テーブルにおける「６時〜１２時」の時間帯の照明機器Ｌ１の制御内容を調光レベル６０％に変更する。
【００３９】
このように、ユーザの操作履歴に基づいて制御内容が更新部１５にて動的に更新される構成とすることにより、制御内容のデフォルト値がユーザの好みに合わない場合でも、制御内容がユーザの好みに合わせて自動的に変更されることとなる。
【００４０】
ところで、機器制御システムは、時間帯以外の情報からなる補助条件を取得する条件取得部（図示せず）をコントロール装置１に備え、制御部１１が、条件取得部で取得される補助条件を加味した制御内容に従って被制御機器Ｌを制御する構成であってもよい。
【００４１】
補助条件の一例として、「季節」がある。季節を補助条件とする場合、記憶部１０には、春夏秋冬それぞれの季節に対応する複数の制御テーブルが格納される。時計部１４は、月日を含む現在時刻を計時するカレンダ機能を有しており、このカレンダ機能が条件取得部として機能し現在の月日に基づく季節を補助条件として取得する。
【００４２】
この場合、記憶部１０には、補助条件ごとの制御テーブルが記憶される。上記表１には、冬季に用いられる「冬季モード」の制御テーブルを示している。夏季には、「冬季モード」の制御テーブルを基準に、床暖房Ｌ２が制御対象から外され、エアコンＬ３の設定温度も変えられた「夏季モード」の制御テーブルが用いられる。なお、日照角度や日照時間も季節によって異なるため、照明機器Ｌ１の制御内容も季節ごとに異ならせてもよい。
【００４３】
また、機器制御システムは、気温と照度との少なくとも一方を検知情報として検知するセンサ（図示せず）を条件取得部に有し、センサにより取得される検知情報を補助条件に含む構成であってもよい。具体的には、制御対象となる被制御機器Ｌが設置されている室内あるいは室外の気温および照度をそれぞれ検知するセンサを備え、これらのセンサの検知結果を補助条件として用いるようにする。その際、下記表２に示すように温度と照度との関係で一義的に決まる複数の環境パターンを設定し、記憶部１０に格納される制御テーブルは、環境パターンごとに制御内容を記憶するものとする。なお、センサは、気温や照度を検地するものの他、人の存否や湿度を検知するものであってもよい。集合住宅などにおいては、共用エリアに設置されたセンサの情報を複数の住戸が共用するようにしてもよい。
【００４４】
【表２】
2011205413.tif 000004
【００４５】
すなわち、制御部１１は、センサの検知結果（温度、照度）に基づいて環境パターンを特定し、下記表３〜６に示す制御テーブルを参照して、現在時刻と環境パターンとの組み合わせに基づいて制御内容を決定する。制御内容が決まると、制御部１１は、その制御内容を含む制御データを伝送信号として信号線Ｗ１に送出する。なお、表３は「０時〜６時」、表４は「６時〜１２時」、表５は「１２時〜１８時」、表６は「１８時〜２４時」の各時間帯の制御テーブルを表している。
【００４６】
【表３】
2011205413.tif 000005
【００４７】
【表４】
2011205413.tif 000006
【００４８】
【表５】
2011205413.tif 000007
【００４９】
【表６】
2011205413.tif 000008
【００５０】
表３〜６の例では、一括スイッチ２０がたとえば「０時〜６時」の間に操作され、そのときの気温が１５℃、照度が５００ｌｘであったとすれば、制御部１１は、表３の制御テーブルから環境パターンＨに対応する制御内容を選択する。つまり、制御部１１は、照明機器Ｌ１を２０％の調光レベルで点灯させ、エアコンＬ３と床暖房Ｌ２とテレビＬ４とをオフにするよう制御する。同様に、一括スイッチ２０が「０時〜６時」の間に操作され、そのときの気温が８℃、照度が２００ｌｘであったとすれば、制御部１１は、表３の制御テーブルから環境パターンＤに対応する制御内容を選択する。つまり、制御部１１は、照明機器Ｌ１を４０％の調光レベルで点灯させ、エアコンＬ３と床暖房Ｌ２とテレビＬ４とをオフにするよう制御する。
【００５１】
このように、制御部１１は、気温取得部としてのセンサにより取得される気温が高くなるほど、被制御機器として用いられる暖房機器（床暖房Ｌ２、エアコンＬ３）の暖房能力（設定温度）を下げるように被制御機器Ｌを制御する。また、制御部１１は、センサにより取得される照度が低くなるほど、照明機器Ｌ１を明るく点灯させるように被制御機器Ｌを制御する。なお、被制御機器として冷房機器が用いられている場合には、制御部１１は、気温取得部としてのセンサにより取得される気温が高くなるほど、冷房機器の冷房能力を上げるように被制御機器Ｌを制御する。
【００５２】
上述した構成の機器制御システムによれば、制御内容に温度や照度などの環境情報が加味されることにより、一括スイッチ２０の操作時点での環境により適した被制御機器Ｌの制御が可能となる。
【００５３】
また、制御部１１は、上述したように補助条件を加味して制御内容を決める場合、予め補助条件毎の制御内容が登録された制御テーブルを用いるのではなく、デフォルトの制御テーブルを補助条件に応じた補正ルールによって随時補正するようにしてもよい。すなわち、季節を補助条件とする場合には、制御部１１は、一括スイッチ２０が操作されると、予め記憶部１０に記憶された季節ごとの補正ルールを参照して制御テーブルの各制御内容を補正し、補正後の制御内容に従って被制御機器Ｌを制御する。
【００５４】
センサの検知結果（温度、照度）を補助条件とする場合には、制御部１１は、一括スイッチ２０が操作されると、予め記憶部１０に記憶された補正ルールを参照して制御テーブルの各制御内容を補正し、補正後の制御内容に従って被制御機器Ｌを制御する。たとえば、室外温度が０℃以下の場合には、制御部１１は、床暖房Ｌ２、エアコンＬ３の設定温度を２℃上げ、０〜５℃では補正はせず、５℃以上の場合は設定温度を２℃下げるようにデフォルトの制御テーブルを補正する。なお、床暖房Ｌ２やエアコンＬ３の設定温度は１５〜２５℃の範囲とし、補正結果がこの範囲を超える場合には、制御部１１は、設定温度を上限値（２５℃）あるいは下限値（１５℃）に設定する。
【００５５】
同様に、制御部１１は、室外照度が１０００ｌｘ以下の場合には照明機器Ｌ１の調光レベルを２０％下げ、１０００〜３０００ｌｘの場合は補正せず、３０００ｌｘ以上の場合は照明機器Ｌ１の調光レベルを２０％上げるようにデフォルトの制御テーブルを補正する。なお、調光レベルは０〜１００％の範囲で調節可能とし、補正結果がこの範囲を超える場合には、制御部１１は、調光レベルを上限値（１００％）あるいは下限値（０％）に設定する。
【００５６】
さらにまた、条件取得部は、インタネット４上のサーバ５から通信により気象情報（気温情報、花粉飛散情報など）を取得する通信取得部（図示せず）を有するようにしてもよい。この構成では、制御部１１は、被制御機器Ｌが設置されている地域の気象情報を通信取得部にて取得し、この気象情報を加味して制御内容を決定することができる。
【００５７】
たとえば、気温情報を通信取得部により取得する場合、制御部１１は、取得した気温情報を補助条件として用いることによって、上述のように制御内容（床暖房Ｌ２やエアコンＬ３の設定温度）を補正する。この場合、通信取得部は、センサに代えて気温情報を取得する気温取得部として用いられることになる。
【００５８】
花粉飛散情報を通信取得部により取得する場合、制御部１１は、取得した花粉飛散情報を補助条件として用いることによって、制御内容（床暖房Ｌ２とエアコンＬ２との別）を補正する。つまり、制御部１１は、暖房が必要とされる場合において、該当地域の花粉飛散量が所定の閾値より少なければエアコンＬ３を運転し、花粉飛散量が閾値以上であればエアコンＬ３を停止させ、代わりに床暖房Ｌ２を運転させるものとする。なお、床暖房Ｌ２はエアコンＬ３に比べて即効性が低いので、床暖房Ｌ２の設定温度はエアコンＬ３に比べて４℃高く設定するなど、床暖房Ｌ２とエアコンＬ３とで制御内容に差別化を図ってもよい。
【００５９】
ここで、制御部１１は、花粉飛散量が閾値以上になると、被制御機器として用いられる空調機器（エアコン）と換気機器との少なくとも一方の出力を抑制して室外の空気が室内に入りにくくするように被制御機器を制御するものであればよい。たとえば、被制御機器として換気扇等の換気機器が設けられている場合、制御部１１は、花粉飛散情報を補助条件として用いて、花粉飛散量が閾値以上であれば換気機器の出力を弱める（あるいは換気機器を停止させる）ようにする。
【００６０】
コントロール装置１がインタネット４に接続可能あれば、制御部１１はこのようにインタネット４上のサーバ５からの情報を加味して制御内容を決定することにより、センサを設けなくても気象情報を制御内容に加味することができる。したがって、センサの設置場所が確保できないような場合でも、気象情報を制御内容に加味することが可能となる。
【００６１】
なお、機器制御システムを構成するコントロール装置１と操作端末器２と制御端末器３とは互いに通信可能に構成されているので、各装置の構成要素が別の装置に設けられていたとしても、機器制御システムは上記実施形態と同様の動作が可能である。すなわち、たとえば記憶部１０や時計部１４としての機能は、コントロール装置１に限らず、操作端末器２あるいは制御端末器３に備わっていてもよい。さらに、コントロール装置１がインタネット４に接続可能であれば、記憶部１０や時計部１４の機能は、インタネット４上のサーバ５に設けられていてもよい。
【００６２】
（実施形態２）
本実施形態の機器制御システムは、ユーザの制御ポリシが設定されるポリシ設定部（図示せず）を条件取得部に有し、制御ポリシを加味して制御内容を決定するようにした点が実施形態１の機器制御システムと相違する。
【００６３】
すなわち、制御部１１は、ポリシ設定部にて予め設定されたユーザの制御ポリシを補助条件として用いることによって、制御テーブル内の制御内容を補正する。ここでいう制御ポリシは、省エネルギ化とユーザにとっての快適性とのいずれを優先するかという方針を意味しており、本実施形態では、「省エネ優先」、「快適優先」、これらの「中間」の３段階で設定されるものとする。
【００６４】
したがって、ユーザがポリシ設定部にて制御ポリシを上記３段階の制御ポリシの中から選択して登録しておくことにより、以降の一括スイッチ２０操作時には、登録された制御ポリシが加味されて制御内容が決定されることになる。
【００６５】
たとえば、「省エネ優先」が選択されているときには、制御部１１は、上記表１に示したデフォルトの制御テーブルを基準として、照明機器Ｌ１の調光レベルを２０％下げ、床暖房Ｌ２およびエアコンＬ３の設定温度を２℃下げるように補正する。同様に、「快適優先」が選択されているときには、制御部１１は、デフォルトの制御テーブルを基準として、照明機器Ｌ１の調光レベルを２０％上げ、床暖房Ｌ２およびエアコンＬ３の設定温度を２℃上げるように補正する。制御ポリシとして「中間」が選択されていると、制御部１１は、上記表１に示したデフォルトの制御テーブルをそのまま用いて被制御機器Ｌを制御する。
【００６６】
また、制御部１１は、一括スイッチ２０が操作される度に制御ポリシを加味して制御内容を補正する構成に限らず、予め制御ポリシを加味して記憶部１０に記憶されている制御テーブルを更新し、更新後の制御テーブルを用いて被制御機器Ｌを制御してもよい。
【００６７】
以上説明した本実施形態の機器制御システムによれば、被制御機器Ｌはユーザの制御ポリシを加味した制御内容で制御されることになるので、制御ポリシを加味しない場合に比べてユーザの好みに合わせた機器制御が可能となる。
【００６８】
その他の構成および機能は実施形態１と同様である。
【００６９】
（実施形態３）
本実施形態の機器制御システムは、一括スイッチ２０を操作したユーザを識別するユーザ識別部（図示せず）を条件取得部に有し、ユーザ識別部の識別結果を加味して制御内容を決定するようにした点が実施形態１の機器制御システムと相違する。
【００７０】
本実施形態では、一括スイッチ２０が複数のユーザによって操作されることを前提としており、操作端末器２は、一括スイッチ２０を操作したユーザを識別するユーザ識別部を有している。ここでは、家人が父、母、長男の３人からなり、この３人全員が一括スイッチ２０を操作する可能性があるものとし、ユーザ識別部は一括スイッチ２０を操作したのが父、母、長男のいずれであるかを識別する。ユーザ識別部によるユーザの識別方法は、特に限定するものではないが、たとえば指紋認識やカメラ画像を用いた顔認識や音声認識など、周知の方法を採用することができる。
【００７１】
制御部１１は、ユーザ識別部の識別結果、つまり誰が一括スイッチ２０を操作したかという情報を補助条件として用いることによって、制御テーブル内の制御内容を補正する。具体的には、父、母、長男の各個人別に設定された補正ルールが記憶部１０に記憶されており、制御部１１は、上記表１に示したデフォルトの制御テーブルを基準として、ユーザ識別部の識別結果に応じた補正ルールにて制御内容を補正する。
【００７２】
これにより、制御部１１は、一括スイッチ２０を操作した人が父であれば上記表１に示したデフォルトの制御テーブルをそのまま用いて被制御機器Ｌを制御する。一方、一括スイッチ２０を操作した人が母であれば、制御部１１はたとえばデフォルトの制御テーブルを基準にテレビＬ４を制御対象から外すように補正した制御テーブルを用いて被制御機器Ｌを制御する。操作した人が長男であれば、制御部１１はたとえば照明機器Ｌ１の調光レベル、床暖房Ｌ２、エアコンＬ３の設定温度をデフォルトの制御テーブルの７５％に再計算し、テレビＬ４を制御対象から外すように補正した制御テーブルを用いて被制御機器Ｌを制御する。
【００７３】
また、制御部１１は、一括スイッチ２０が操作される度にユーザ識別部の識別結果を加味して制御内容を補正する構成に限らない。すなわち、記憶部１０が父、母、長男の各個人別に設定された制御テーブルを予め記憶し、制御部１１がユーザ識別部の識別結果に応じて使用する制御テーブルを選択するように構成されていてもよい。この場合、たとえば制御部１１は一括スイッチ２０を操作した人が父であれば上記表１の制御テーブルを用い、母であれば下記表７の制御テーブルを用い、長男であれば下記表８の制御テーブルを用いて被制御機器Ｌを制御する。
【００７４】
【表７】
2011205413.tif 000009
【００７５】
【表８】
2011205413.tif 000010
【００７６】
以上説明した本実施形態の機器制御システムによれば、制御部１１がユーザ識別部の識別結果を加味して制御内容を決定するので、一括スイッチ２０を操作した人によって制御内容を変化させることができる。したがって、一括スイッチ２０が複数のユーザによって操作される場合、制御部１１は、各ユーザの好みに合わせた制御内容に被制御機器Ｌを制御することができる。
【００７７】
なお、本実施形態の機器制御システムに、実施形態２で説明したようにユーザの制御ポリシを加味して制御内容を決定する構成を組み合わせるようにしてもよい。その他の構成および機能は実施形態１と同様である。
【符号の説明】
【００７８】
１  コントロール装置
２  操作端末器
３  制御端末器
４  インタネット
５  サーバ
１０  記憶部
１１  制御部
１４  時計部
１５  更新部
２０  一括スイッチ
Ｌ１  照明機器（被制御機器）
Ｌ２  床暖房（被制御機器）
Ｌ３  エアコン（被制御機器）
Ｌ４  テレビ（被制御機器）
【図１】
2011205413.tif 000011
【図２】
2011205413.tif 000012